(57)【要約】【課題】適合したツールを選択することで、除草作業、土壌の中耕作業、播種穴、播種溝、施肥穴、施肥溝、苗植え付け穴作り等の多種多様の作業可能な簡易で便利で安全な雑草除去耕作機具を提供する。【解決手段】回転軸先端部に複数のフォーク状の作動片１０bを軸中心に一体化した作動部１２、軸並列に複数の作動ピンを取り付け具に植設一体化し、作動ピンの交換、回転軸先端との突出量の調整可能とした作動部、３枚以上の作動片２１bを回転軸中心に放射状、かつ、土堀りのすくい角を付けて接合した作動部２１、又は鋸歯状の円板型根刈板とした作動部を設け、更に回転軸先端を作動片、作動ピン、又は円板型根刈板の下端より突出して、作業に適合したツールを取り付け電動機側の回転軸に遥動防止等の握り部７０を設け、回転電動機、又は手動ハンドルに連結したことを特徴とする。【選択図】    図４
0003125792.tif 000002
【実用新案登録請求の範囲】
【請求項１】
回転軸先端近傍の回転軸に、切り刃を形成しない複数のフォーク状の作動片を回転軸中心に一体化した作動部を設け、多回転による揺動の防止のため安全性を配慮し、前述作動部下端より回転軸先端を突出させたツールを形成すると共に、回転軸長を作業姿勢に適応させ、回転軸を回転駆動部と着脱自在に連結できることを特徴とした雑草除去耕作機具。
【請求項２】
請求項１の作動部を、回転軸に並列に複数の作動ピンを取り付け具に植設し一体化し、取り付け具は作動ピンの交換、および、回転軸先端との突出量の調整を可能に形成した請求項１記載の雑草除去耕作機具。
【請求項３】
請求項１の作動部を、切り刃を形成しない３枚以上の作動片を、回転軸を中心に放射状に、かつ、土堀りのすくい角を付けて、接合し形成した請求項１記載の雑草除去耕作機具。
【請求項４】
請求項１の作動部を、切り刃を形成しない鋸歯状の円板型根刈板とし形成した、請求項１記載の雑草除去耕作機具。
【請求項５】
請求項１〜４いずれか１項に記載のツール近傍の回転軸に連結部を設け、ツールと回転操作軸を着脱自在に形成したことを特徴とする請求項１記載の雑草除去耕作機具。
【請求項６】
請求項５記載の回転軸を複数個に分割し、連結部を設け、長さの異なる回転軸を連結、または、除去して長さを調整できることを特徴とした請求項１記載の雑草除去耕作機具。
【請求項７】
請求項１〜６のいずれか１項に記載の回転軸を複数に分割すると共に、その結合部の一方の回転軸をパイプとし、他をそのパイプに嵌入させ接合し回転軸長を伸縮自在に調整できることを特徴とした請求項１記載の雑草除去耕作機具。
【請求項８】
請求項１〜７のいずれか１項に記載の回転軸の回転駆動部側に、揺動防止、また、移動支持のため、回動自在な握り部を設けたことを特徴とした請求項１記載の雑草除去耕作機具。
【請求項９】
請求項１〜８のいずれか１項に記載の回転駆動部をスイッチ付き回転電動機とした請求項１記載の雑草除去耕作機具。
【請求項１０】
請求項９項に記載のスイッチ付き回転電動機の本体と連結した回動自在な握り部を設けたことを特徴とした請求項１記載の雑草除去耕作機具。
【請求項１１】
請求項１〜８のいずれか１項に記載の回転駆動部を手動操作のクランク型ハンドルとして、回転軸と一体型、または、駆動側の回転軸端に着脱自在に連結し形成したことを特徴とした請求項１記載の雑草除去耕作機具。
【考案の詳細な説明】
【技術分野】
【０００１】
本考案は雑草除去する手段、土壌を中耕する手段、播種、施肥用の耕作する手段に関し、それらを多目的に利用でき、より詳細には耕具の地面に対して水平回転操作を利した雑草除去耕作機具に関する。
【背景技術】
【０００２】
草の略中心部の草の根に複数の挿入ピンを刺し込み、手動ハンドルで前記略中心部を中心に回転させて、根を挿入ピンに絡め引き抜き、除草することを特徴とする草取り機が報告されている。
【０００３】
羽根状の切り刃を電動機で回転させ、再生不能に根こそぎ粉砕し、除草することを特徴とする草取り機が報告されている。
【特許文献１】特開  平６― １８９６０２号公報
【特許文献２】特開  平８―００００１０号公報
【考案の開示】
【考案が解決しようとする課題】
【０００４】
実際には確実に根を絡め抜きとる際は、土壌の攪拌と共に一定の連続回転を加えなければ抜き取れず、また、雑草の大きさに依っても適正なピン間隔、長さが必要で、文献１の雑草を手動ハンドルで複数ピンにより雑草の根を絡め抜き取る方法では、連続回転するように構成されておらず、更に、大きさのまちまちな雑草を効率良く取ることが出来ない問題がある。
【０００５】
また、文献２の羽根状の切り刃で雑草を根こそぎ粉砕する方法に依れば、粉砕した雑草が土中に残され雑草が再生する可能性があり、また、切り刃の回転による危険もあった。
【０００６】
本考案は上記問題点を解決し、低コストの雑草が絡み易い形状による除草用のツール(回転軸、回転軸先端、作動部からなる)により、遥動せずに、土壌の攪拌と共に一定の連続回転が出来、雑草を根から確実に抜き去り、安全で、且つ、容易に除草できる機具を提供するものであり。更に、限定された土壌を中耕する作業、播種穴、播種溝、施肥穴、施肥溝、苗植え付け穴作り等の耕作作業をも可能とし、作業の労力を軽減することを目的とする。
【０００７】
本考案は雑草の形態に適合したツールによる除草作業、また、適合したツールによる中耕作業、播種作業、施肥作業、苗植え付け穴作りなどの任意の作業が選択でき、本案機具を多目的化させることを目的とする。
【０００８】
本考案は回転動力機器として、充電器の進歩と共に作業工具としての充電式の高トルクでトルク調整付きの低中速汎用回転電動機等が市販されるようになり、これらの汎用回転電動機等を利用し、また、回転電動機のスイッチを使い任意の回転を加えることができることで、低コストで効率の良い安全な雑草除去耕作機具を提供することを目的とする。
【０００９】
本考案は雑草除去耕作機具を連続回転による手動で作業ができる手段も提供することを目的とする。
【００１０】
本考案は雑草除去耕作機具を作業者の要望する長さに適応させることを目的とする。
【００１１】
本考案は雑草除去耕作機具を操作する際、機具が揺動することなく安全、的確に作業ができる手段を提供することを目的とする。
【課題を解決するための手段】
【００１２】
雑草を根から抜き取る手段として、地下で放射状に広がっている雑草の根に対して、ツールに
雑草が絡み易く、また、根を切断しないように、且つ、安全な作業を行うために、切り刃を形成しない複数のフォーク片を一体化したツール、または、複数の作動ピンを取り付け具に回転軸に対し並列に植設し一体化したツール、または、切り刃を形成しない３枚以上の作動片を放射状に、かつ、土堀りのすくい角を付けて、接合したツール、または、切り刃を形成しない鋸歯状の円板型根刈板からなるツールのいずれかのツールを水平回転させ、地面を攪拌しながら雑草を絡め、根を抜き去ることを特徴とする。
【００１３】
本案のツール（回転軸、回転軸先端、作動部からなる）を任意の土壌で限定的に除草や中耕作業を行うために、雑草の茎近傍で回転軸先端を支点として回転させ、また、連続回転による揺動防止のため安全性を配慮し、回転軸先端を前述のツールの作動部の作動片、作動ピン、根刈板の下端より突出させたことを特徴とする。
【００１４】
雑草除去に適した本考案ツールと限定された土壌を中耕する作業、播種穴、播種溝、施肥穴、施肥溝、苗植え付け穴作り等の耕作作業に適した本考案ツールを任意に本案回転軸先端に着脱自在に形成したことを特徴とする。
【００１５】
本案の回転軸を複数個に分割すると共に、任意に回転軸を接続し、回転軸全長を調節できる機構を備えることを特徴とする。
【００１６】
本案の回転軸のツール他端でコード付き、または、コードレスの汎用のトルク調整付きの高トルク低中速回転電動機等のチャックと連結し、回転操作を行うことを特徴とする。
【００１７】
本案の回転軸を駆動させる際に揺動で振り回されるなどの危険防止、また、ツールの回転移動の支持のため、回転軸の中間に支持用の回動自在な握り部を設けることを特徴とする。
【００１８】
本案の回転軸を複数に分割すると共に、その結合部の一方の回転軸をパイプとし、他をそのパイプに嵌入させ結合し、回転軸長を伸縮自在に調整できることを特徴とする。
【００１９】
本案の回転駆動部を多回転操作の手動クランク型ハンドルとして、回転軸と一体に形成し、または、回転軸に着脱自在に連結することを特徴とする。
【考案の効果】
【００２０】
本考案の雑草除去耕作機具は、ツールの連続回転により、土壌を撹拌しながら雑草をツールに絡め抜き去り、雑草を根から容易に抜き取ることが可能である。また、切り刃のないツール、ツールの回転軸先端を突出したことによる揺動防止、さらに、揺動防止等の回転支持の握り部の装着により安全な作業を可能とし、適合したツールにより限定された土壌を中耕する作業、播種穴、播種溝、施肥穴、施肥溝、苗植え付け穴作り等の耕作作業をも可能とし、多種多様の農作業に使うことできる。本案雑草除去耕作機具の回転駆動部は汎用の回転電動機の利用ができ、ツールを含め、低コストで操作性の良い電動雑草除去耕作機具を提供することができる。また、手動で操作することも可能となる。
【考案を実施するための最良の形態】
【００２１】
以下、本考案の好適な実施の形態について、添付図面とともに詳細に説明する。
【実施例１】
【００２２】
図１は主として除草に適したツール(回転軸１００ｂ、回転軸先端部１００a、作動部からなる)の作動部１０、１１、１２、１３、１４の各種事例を示す。１００ｂは回転軸、１００aは先端が丸みおびた円錐状の回転軸先端部の突出部を示す。なお、先端部の形状は前述の形状を含め、丸形、角錐形等、差し込みが容易で、回転支点となれる形状であればよい。図１（a）、（b）、（c）、（d）、（e）、（i）（j）、（k）、（l）、（m）、（n）、（o）、（p）は切り刃を形成しない板金製の複数のフォーク状の作動片１０bを一体化し、また、図１（ｆ）、（g）、（h）は作動ピン１０gを取り付け具１０dにフォーク状に一体化し、回転軸１００に接合した作動部１０、１1、１２、１３、１４を示す。
【００２３】
図１（a）、（b）、（c）、（d）、（e）、（i）、（j）、（k）、（l）、（m）、（n）、（o）、（p）のフォーク状の作動片１０b、図１（ｆ）、（ｇ）、（ｈ）の作動ピン１０gは互いのフォーク状の作動片間、作動ピン間、または、フォーク状の作動片と回転軸間、作動ピンと回転軸間で雑草を絡め取るという除草作用を発揮する。さらに、小雑草の除草には、小雑草を絡め、土のつまりを防ぐように、フォーク状の作動片１０eの先端と回転軸間、作動ピン１０eの先端と回転軸間の隙間のみをさらに狭くした、図１（b）、（f）、（o）に示すフォーク状の作動片１０e、作動ピン１０hを回転軸１００b側に曲げた作動部を使用する。なお図１(c)、(h)の１０aはその隙間量を示す。図１（ｆ）の作動ピン１０hは固定ねじ１０ｆで取り付けの曲がり方向を変えることで隙間量を調節できる。
【００２４】
図１（b）、（d）、(o)の１０cは平板状フォークで回転軸１００の左右に各一体化した作動部１０を示す。また、図１（d）のフォーク状の作動片１０bの先端部は回転軸先端１００aを中心に外側に向って回転軸先端より徐々に下がるように構成され、土壌撹拌時の揺動を抑える役目をする。図１（i）、（j）、（k）は土堀りのすくい角を付けて、平板フォーク状の作動片１０bの分岐平坦部を折り曲げ一体化して回転軸に接合した作動部１２示す。なお、折り曲げを直角にしてフォーク状の作動片１０bを回転軸に並列に形成してもよい。図１（l）、（m）、（n）は平板フォーク状の作動片１０bの分岐平坦部の回転軸側を土堀りのすくい角を付けて、ねじり曲げして一体とした作動部１３を形成して回転軸に接合した事例を示す。図１（o）は平板状フォークを左右一体とした作動部１０を回転軸に対して土堀りのくい込みを良くするため、フォークを傾斜させて回転軸１００に接合した事例を示す。
【００２５】
図１（p）は回転軸も一体化した平板状フォークの作動部１４で、中心のフォーク状の作動片１００eを回転軸とし、他のフォーク状の作動片１０bより突出させて形成し、上部で回転軸１００bに中心を合わせて接合した例を示す。図１（f）、（g）、（h）は複数の作動ピン１０gを、回転軸１００に取り付けた取り付け具１０dに回転軸１００に並列に植設し、固定ねじ１０fで固定し一体化させ、作動ピンの交換、作動ピンの下端との回転軸先端１００aの突出量を調整できる作動部１１を示す。なお、回転軸先端１００aは回転時の遥動防止のため、図１（a）〜（p）の作動部のフォーク状の作動片１０b、作動ピン１０gの下端より突出して形成される。また、図１（a）〜（p）の作動部は主として除草を狙ったものであるが、土壌耕作も可能である。
【実施例２】
【００２６】
図２は主として土壌耕作に適したツール(回転軸１００ｂ、回転軸先端部１００a、作動部からなる)の作動部２０、２１、２２、２３の各種事例を示す。１００bは回転軸、１００aはその先端部の突出部を示す。図２（a）、（b）、（c）は切り刃を形成しない３枚以上の作動片を放射状に、かつ、土堀りのすくい角を付けて、回転軸１００に接合した作動部２０、２１を示す。図２（a）の作動部２０は複数枚（図では４枚）の板状のねじれた作動片２０bをほぼ平面状に配置し、図２（b）のツールは作動片２０bの土堀りの下端が円錐状に配置するよう構成されている。図２（c）の作動部２１は３枚以上（図では３枚）の板状の作動片２１bを一体に板金成形し、土堀りのすくい角を付けて回転軸の取り付け部をねじり曲げ、且つ、作動側を雑草を絡め易いように波形とした作動片２１bの事例を示す。
【００２７】
図２（d）（e）は複数枚（図では４枚）の作動片２２bを鋳造等により羽根車状に螺旋端部を成形し、回転軸１００bに止めねじ２２cにより固定し作動部２２形成した例を示す。図２（a）、（b）、（c）、（d）、（e）のツールは主として土壌耕作に適し、土壌のポイント中耕、また、ツールの移動により土壌耕作ができる。図２（i）はツールの回転により土壌を飛散させ穴掘り２２dをした状態の断面を示し、ツールを回転させ、その状態で移動させると播種等の溝を作ることができる。
【００２８】
図２（ｈ）は別例の複数（図は４本）の湾曲させた線条の作動ピン２３aを水平状態で放射状に回転軸１００に接合した作動部２３の例を示す。図２（f）、（g）は別例の複数（図は４本）の湾曲させた線条の作動ピン２３aを放射状にして、先端部が水平より回転軸先端１００a側へ傾けて、回転軸１００bに接合した作動部の例を示す。なお、回転軸先端１００aは回転時の遥動防止のため、図２（a）〜（g）の作動片２０b、作動ピン２３aの下端より突出して形成される。
【実施例３】
【００２９】
図３（a）（b）は円板型根刈板のツール(回転軸１００ｂ、回転軸先端部１００a、作動部３０からなる)で構成した充電式電動機駆動の実施例を示す。以下、各実施例の回転電動機はコードレスの充電式を示すが、コード付きの外部電源駆動式も可能である。図３（a）（b）（c）の作動部３０は切り刃のない鋸歯状の円板型根刈板３０aからなり、回転軸１００bにねじ３０bで回転軸先端１００a部分が突出して取り付けられ、円板型根刈板のツールを形成している。図３（e）に示すように雑草３０cの近傍に作動部３０を傾けた状態で電動機のスイッチを操作し連続回転させて、土堀りしながら、雑草側３０cに移動させることで、連続的に草取り作業を行うことができる。
【００３０】
作動部近傍の回転軸１００ｂには連結部５０bが設けられ、締め付けねじ５０fで本案の各種ツールと着脱自在に装着される。また、図３（a）は回転軸１００の作動部他端で回転電動機５０のチャック部５０aと着脱自在に結合し、更に、回転電動機側の回転軸１００に揺動防止、回転移動支持のための回動自在な握り部７０を設けた実施例を示す。なお、握り部７０は筒状で両端に軸受けを設け、回転軸１００に軸止め具５０gにより回動自在に取り付けられている。図３（b）は回転電動機５１の出力側本体と着脱自在に連結した回動自在な握り部５１a（実施例７で詳細に説明）を設けた事例を示す。
【実施例４】
【００３１】
図４（a）は回転軸１００に揺動防止等の握り部７０を装着し、フォーク状のツール(回転軸１００ｂ、回転軸先端部１００a、作動部１２からなる)を付けた、充電式回転電動機５０駆動の実施例を示す。フォーク状のツールは、回転軸を中心に両側に平板フォーク状の作動片１０bの分岐平坦部を土堀りのすくい角をつけ折り曲げた作動部１２からなり、回転軸の接合部５０bで締付けねじ５０fによりねじ止めされている。回転電動機側の回転軸１００には揺動防止等のための回動自在な握り部７０が、両側を軸止め具５０gによって回動自在に装着されている。ツールは主として除草用で、作業者が電動機のスイッチを操作し適宜な回転量を与えることで、土壌撹拌しながらフォークに雑草を絡め、根ごと抜き去るように働く。
【００３２】
なお、充電式回転電動機５０は汎用品を使用できるが、ツールの外周径が８０ｍｍ程度の場合、回転速度は除草の場合、２５０〜５００回転/分程度、トルクは４Ｎ・Ｍ以上が欲しい、さらに、安全のために、トルク調節付きで、過負荷でスリップする機能付いたものがふさわしい。土壌の耕作の場合は低速から高速まで、トルクも低トルクで使用できるが、作業の効率、ならび、安全を考えると８００〜１４００回転/分程度が適している。なお、ツールの外周径が変わると周速度が変わるので、それに応じて適した回転速度も変わる。さらに、ツールの形状、雑草の大きさ、種類、土壌状態、作業形態により適正な回転速度があり、回転速度の段階切り替え、または、回転速度の無段階調節できる機能の付いた電動機がふさわしい。また、作業者が適宜に回転を操作し、且つ、安全のために操作スイッチを必要とする。なお、安価な機具の提供から、回転電動機は汎用品の利用を考えているが、専用の電動機としても問題ない、馬力を高めることで、さらに、効率の良いものを提供できる。
【実施例５】
【００３３】
図４（ｂ）は作動側が波型とした作動片２１bからなるツール(回転軸１００b、回転軸先端１００a、作動部２１からなる)の回転軸１００bをパイプ状回転軸５０cに嵌入させ、連結部のチャック５０eで回転軸長を伸縮自在に調整できる。回転電動機５０駆動の実施例を示す。図４（c）は連結部のチャック部構造の詳細の断面図を示す。パイプ状回転軸５０cのツール連結側の端部には、切り欠きを設けたテーパーねじが施され、同様に内部にテーパーねじが施されたチャック５０eを回すことで、ツールの回転軸を締め付け固定できる。ツールは主として土壌耕作用であるが、波型部は雑草を絡め、除草効果を狙った形態である。図示されていないが、パイプ状回転軸５０cの駆動部側に、揺動防止、耕作移動支持用の握り部を装着することも可能である。
【実施例６】
【００３４】
図５（a）は回転軸全長の調整用に複数の連結回転軸１００cが連結され、先端の回転軸１００の両側に平板状フォークを一体化したツール（回転軸１００b、回転軸先端１００a、作動部１０からなる）が接合部５０bにねじ止めされた、回転電動機５０駆動の実施例を示す。連結回転軸１００cは軸長の異なるものを用意して組み替えても良いし、また、短い同軸長のものを複数連結し、抜き差しして機長を任意の長さに調節することができる。ツールは土壌撹拌のすくい角付けたフォーク状の作動部１０からなる。なお、ツール側他端の回転軸１００は回転電動機５０のチャック５０aと着脱自在に連結されている。
【実施例７】
【００３５】
図５（b）図６（a）（b）は回転軸１００に回転電動機５１の本体と連結し、揺動防止、また、回転移動支持のための回動自在な握り部５１aを設けた実施例を示す。図６（b）は握り部の詳細の断面図である。回転電動機５１のチャック５０a側の本体は握り部５１aと着脱自在に連結できるように、ねじ等の連結部５１bが設けられた構造からなる。握り部５１aは筒状からなり、ツール側に軸受け５１cが装着され、回転軸１００に回動自在に、また、軸方向にもスライドできるように形成される。他端は回転電動機のチャック５０a側の本体の連結部５１bと同様な形態が施され、チャック部分に当たらないように形成され着脱自在に連結される。使用する場合は、まず、握り部５１aを回転電動機５１と連結しない状態において、回転軸１００と回転電動機のチャック５０aと連結し、次に、握り部５１aを移動し、回転電動機本体の連結部５１bと連結することで組み立てることができる。なお、回転電動機は握り部との連結のため、連結部が特殊仕様となる。
【００３６】
図５（ｂ）のツール(回転軸１００b、回転軸先端１００a、作動部２０からなる)は切り刃を形成しない４枚の作動片２０bを放射状に、かつ、土堀りのすくい角を付けものを固着したもので、主として土壌の耕作用でツール交換用接合部５０bにねじ止めされている。図５（c）の２０eは土壌の耕作状態を示す。図６（a）ツール(回転軸１００b、回転軸先端１００a、作動部１２からなる)は平板状フォークの作動片１０bの分岐平坦部を折り曲げ、回転軸１００を中心に両側に一体化したもので、主として、除草用として効力を発揮し、ツール交換用接合部５０bにねじ止めされている。図５（b）図６（a）に示す、回転電動機と一体化した握り部５１とすることにより、チャック５０aが隠れることで、安全な機具が提供できる。
【実施例８】
【００３７】
図７（a）は回転軸１００に汎用の回転電動機５１の本体と連結した、揺動防止、また、回転移動支持のための回動自在な握り部５２aを設けた実施例を示す。握り部５２aは、筒状からなり、ツール(回転軸１００b、回転軸先端１００a、作動部１３からなる)側に軸受け５２bが装着され、回転軸１００に回動自在に、また、軸方向にもスライドできるように形成され、他端は回転電動機のチャック側の本体に接続される。電動機接続側の握り部５２aはＡ−Ａ矢視図の部分断面図７（ｂ）のように、一部分に切り欠きを施し、締め付け用のリブが設けられる。一方のリブにはナット５２dが埋め込まれ、反対側のリブからの締め付けねじ５２cにより握り部の端部は締り、電動機のチャック側本体と連結できるように構成され、さらに、チャック部分に当たらず、覆いかぶるように形成されている。なお、汎用の回転電動機との連結を目的としているが、専用の回転電動機も使用可能である。
【００３８】
使用する場合は、まず、握り部５２aを回転電動機５１と連結しない状態において、回転軸１００と回転電動機のチャックと連結し、次に、握り部５２aを移動し、回転電動機本体と連結することで組み立てることができる。この考案によれば、チャック部がカバーされ、安全で、安価の汎用の回転電動機が使用可能となる。図７（a）図示されるツールは、平板フォーク状の作動片１０bの回転軸１００bの付け根側をねじり、土堀りのすくい角を付け、一体化ししたもので、回転軸の接合部５０bで締付けねじ５０fによりねじ止めされている。主として除草用であるが、土壌耕作にも効力がある。
【実施例９】
【００３９】
図８（a）（b）は回転駆動部を手動操作の、連続回転ができるクランクハンドルとした実施例を示す。図８（a）はクランク状に形成し、回転ハンドル８１を装着したクランク型ハンドル８０の下端に回転軸接合部５０hを、回転軸１００に着脱自在に接続した例を示す。着脱自在に接続したことにより、回転電動機との接続もできる。なお、ツール(回転軸１００b、回転軸先端１００a、作動部１０からなる)は切り刃を形成しない複数の作動片１０bと小雑草の除草の効率を高めるために、一部のフォーク状作動片１０eを曲げてフォーク状に一体化したもので、主として除草用ツールである。
【００４０】
図８（b）は回転軸１００に揺動防止等のための回動自在な握り部７０を装着し、回転軸上部をクランク状に形成し、回転ハンドル８１を装着した回転軸と一体型としたクランク型ハンドル８０を設けて、下部にはチャック接合部５０dを装着して、ツール(回転軸１００b、回転軸先端１００a、作動部２０からなる)と連結した例を示す。ツールはきり刃を形成しない４枚の作動片２０bを土堀りのすくい角を付け、回転軸１００b放射状に一体化したもので、主として土壌耕作用にふさわしい。なお、図８（a）（b）のクランク部にハンドル８１が装着されているが、装着しなくても良い。
【００４１】
図９（a）（b）は耕作ツール(回転軸１００ｂ、回転軸先端１００a、作動部２０からなる)を装着し、回転軸１００に揺動防止、回転移動支持のための回動自在な握り部７０を設け、回転電動機５０と連結し、握り部に付帯機能として、播種溝の作成ツール９０を付けた事例を示す。播種溝の作成ツール９０は締結具９０c、回転軸１００に沿って伸びたパイプ状のガイド具９０b、溝付け板９０aで構成され、回転軸１００に装着された握り部７０に取り付け、締結クランプ９０dにより締結具９０cが締まることで、握り部７０に着脱自在に取り付けることができる。さらに、溝付け板９０aはガイド具９０bの下端に耕作ツール近傍の位置に、断面がＶ字形で土壌耕作しながら任意の深さ、形状に溝が作れるよう形成する。
【００４２】
土壌に播種等の溝を作る場合は、耕作ツールを回転させ、土壌を撹拌耕作しながら、溝付け板９０aと反対の方向９０fに移動させることで、土壌を溝付け板で押しやり、図９（b）の播種溝２０eを作ることができる。なお、この播種溝の作成のツール９０は図６(a)図７(a)に示す、回転電動機と直接結びつけた握り部５１a、５２bにも、同様につけることができる。握り部が回転電動機と一体化しているので、安全で作業がし易い。
【産業上の利用可能性】
【００４３】
本考案は、適合したツールを選択することで、除草作業はもちろん、限定された土壌の中耕作業、播種穴、播種溝、施肥穴、施肥溝、苗植え付け穴作り等の多種多様の作業が可能となり、更に、ツールを汎用回転電動機、また、手動ハンドルと連結することにより、低コストの雑草除去耕作機具を提供できる。簡易機具ではあるが家庭菜園、或は、農家の農作業の省力化を図ることができ、農産業に寄与することが期待される。
【図面の簡単な説明】
【００４４】
【図１】雑草除去耕作機具の各種ツールの第１の実施形態である。切り刃を形成しない複数の作動片をフォーク状に一体化したツールの正面図（b）、側面図（a）、下面図（c）、別例のフォーク片の長さの異なるツールの正面図（d）および側面図（e）、別例のフォークを傾けたツールの斜視図（o）、別例の回転軸と一体化したツールの正面図（p）、別例の複数の作動ピン１０ｇを並列に取り付け具１０dに植設し、締め付ねじ１０fで固定し一体化させた動作部を形成するツールの正面図（f）、側面図（g）、下面図（h）、別例の複数の作動片をフォーク状に一体化し平坦部を折り曲げたツールの正面図(i)、上面図(j)、側面図（k）、別例の複数の作動片をフォーク状に一体化し回転軸の近傍をねじり曲げたツールの正面図（l）、上面図（m）、側面図（ｎ）である
【図２】雑草除去耕作機具の各種ツール第２の実施形態である。切り刃を形成しない３枚以上の作動片を放射状に、土堀りのすくい角を付けて、平面状に固着したツールの斜視図（a）、別例の作動片を放射状に、土堀りのすくい角を付けて、円錐状に固着したツールの正面図(b) 、別例の板状のねじれた作動片を一体に成形し、土堀りのすくい角を付け、作動側を波形にしたツールの斜視図(c)、別例の作動片を放射状に螺旋状に形成したツールの平面図（d）、正面図(e)と耕地の断面図（i）、別例の複数の湾曲した線条を放射状にして平面状に形成したツールの斜視図(h)、別例の複数の湾曲した線条を放射状にして先端を下げたツールの正面図(g)および上面図(ｆ)である。
【図３】切り刃を形成しない鋸歯状の円板型根刈板からなるツールを装着し、回転軸に握り部を設けた雑草除去耕作機具の第３の実施形態を示す斜視図（a）、切り刃を形成しない鋸歯状の円板型根刈板からなるツールを装着し、本体と直結した握り部を設けた一部断面図とした正面図(b)、そのツールの平面図（c）、正面図（d）である。
【図４】回転軸に揺動防止等の握り部を装着し、除草ツールをつけた、充電式電動機駆動の雑草除去耕作機具の第４の実施形態を示す斜視図（a）、耕作ツールの回転軸をパイプ状回転軸に嵌入させ、回転軸長を伸縮自在に調整できる雑草除去耕作機具の第５の実施形態を示す斜視図(b)、その一部拡大断面図である。
【図５】回転軸全長の調整用に複数の連結回転軸が連結された、充電式電動機駆動の雑草除去耕作機具の第６の実施形態を示す斜視図（a）、耕作ツールを装着し、回転軸に回転電動機本体に連結した揺動防止等の回動自在な握り部を設けた、一部断面を含む雑草除去耕作機具の第７の実施形態を示す斜視図(b)、その耕作説明図（c）である。
【図６】別例の除草ツールを装着し、回転軸に回転電動機本体に連結した揺動防止等の回動自在な握り部を設けた、雑草除去耕作機具の第７の実施形態を示す、一部断面を含む正面図（a）、その一部拡大図（b）である。
【図７】回転軸に汎用の回転電動機の本体と連結し、揺動防止等のための回動自在な握り部を設けた、雑草除去耕作機具の第８の実施形態を示す、一部断面を含む正面図（a）である。その電動機と握り部の連結を示す断面図（b）である。
【図８】雑草除去耕作機具の回転駆動部を手動のクランクハンドルとした第９の実施形態を示す斜視図（a）別例の回転軸に握り部を設けた手動雑草除去耕作機具の斜視図（b）である。
【図９】雑草除去耕作機具の握り部に播種溝の作成のツールを装着した実施形態を示す斜視図（a）、その耕作説明図（ｂ）である。
【符号の説明】
【００４５】
１００  回転軸
１００a  回転軸先端
１００b  ツールの回転軸
１００c  連結回転軸
１００e  中心のフォーク状の作動片
１０  複数の平板フォークを一体化した作動部
１０a  小雑草除去の間隙
１０b  フォーク状の作動片
１０c  平板状フォーク
１０d  作動ピンの取り付け具
１０e  曲げたフォーク状の作動片
１０f  固定ねじ
１０g  作動ピン
１０h  曲げた作動ピン
１１  複数の作動ピンを取り付け具に植設し一体化した作動部
１２  フォークの分岐平坦部を折り曲げ一体化した作動部
１３  フォークの分岐平坦部をねじり曲げして一体化した作動部
１４  回転軸一体化した平板状フォークの作動部
２０  放射状に形成した作動部
２０b  板状でねじり曲げた作動片
２０e  耕作している土壌
２１  波形作動片の作動部
２１b  波形の作動片
２２  鋳造等による成型の作動部
２２b  鋳造等による成型の作動片
２２c  止めねじ
２２d  穴掘りされた土壌の断面
２３  線条の作動ピンからなる作動部
２３a  線条の作動ピン
３０  切り刃を形成しない鋸歯状の円板型根刈板からなる作動部
３０a  鋸歯状の円板型根刈板
３０b  取付けねじ
３０c  雑草の地上部と地下部
５０  回転電動機
５０a  回転電動機のチャック
５０b  ツール交換用の接合部
５０c  パイプ状回転軸
５０e  連結部のチャック
５０f  締付けねじ
５０g  握り部の軸止め具
５０h  回転軸接合部
５１  握り部を連結させた回転電動機
５１a  電動機と連結した回動自在な握り部
５１b  電動機と握り部の接合部
５１c  軸受け
５２a  汎用の電動機と連結した回動自在な握り部
５２b  軸受け
５２c  締付けねじ
５２d  固定ナット
７０  回動自在な握り部
８０  クランク型ハンドル
８１  回転ハンドル
９０  播種溝作成ツール
９０a  溝付け板
９０b  ガイド具
９０d  締結クランプ
９０e  播種溝
９０f  土壌の耕作方向
【図１】
0003125792.tif 000003
【図２】
0003125792.tif 000004
【図３】
0003125792.tif 000005
【図４】
0003125792.tif 000006
【図５】
0003125792.tif 000007
【図６】
0003125792.tif 000008
【図７】
0003125792.tif 000009
【図８】
0003125792.tif 000010
【図９】
0003125792.tif 000011
【手続補正書】
【提出日】平成18年8月2日(2006.8.2)
【手続補正１】
【補正対象書類名】実用新案登録請求の範囲
【補正対象項目名】全文
【補正方法】変更
【補正の内容】
【実用新案登録請求の範囲】
【請求項１】
回転軸の先端近傍に、切り刃を形成しない複数のフォーク状の作動片を回転軸中心に一体化した作動部を設け、多回転による揺動の防止のため安全性を配慮し、前述作動部下端より回転軸先端を突出させたツールを形成すると共に、前記回転軸の軸長を作業姿勢に適応させ、前記回転軸を回転駆動部と着脱自在に連結できることを特徴とした雑草除去耕作機具。
【請求項２】
前記作動部を、前記回転軸に並列に複数の作動ピンを取り付け具に植設し一体化し、取り付け具は作動ピンの交換、および、回転軸先端との突出量の調整を可能に形成した請求項１記載の雑草除去耕作機具。
【請求項３】
前記作動部を、切り刃を形成しない３枚以上の作動片を、前記回転軸を中心に放射状に、かつ、土堀りのすくい角を付けて、接合し形成した請求項１記載の雑草除去耕作機具。
【請求項４】
前記作動部を、切り刃を形成しない鋸歯状の円板型根刈板とし形成した、請求項１記載の雑草除去耕作機具。
【請求項５】
前記回転軸をツール側と回転操作軸に分割し、連結部を設け、ツールと回転操作軸を着脱自在に形成したことを特徴とする請求項１〜４のいずれか１項に記載の雑草除去耕作機具。
【請求項６】
前記回転軸を複数個に分割し、連結部を設け、長さの異なる回転軸を連結、または、除去して長さを調整できることを特徴とした請求項１〜４のいずれか１項に記載の雑草除去耕作機具。
【請求項７】
前記回転軸を複数に分割し、連結部を設け、分割した一方の回転軸をパイプとし、他をそのパイプに嵌入させ接合し回転軸長を伸縮自在に調整できることを特徴とした請求項１〜４のいずれか１項に記載の雑草除去耕作機具。
【請求項８】
前記回転軸の回転駆動部側に、揺動防止、また、移動支持のため、回動自在な握り部を設けたことを特徴とした請求項１〜７のいずれか１項に記載の雑草除去耕作機具。
【請求項９】
前記回転駆動部をスイッチ付き回転電動機とした請求項１〜８のいずれか１項に記載の雑草除去耕作機具。
【請求項１０】
前記回転駆動部をスイッチ付き回転電動機とし、このスイッチ付き回転電動機の本体と連結した回動自在な握り部を設けたことを特徴とした請求項１から７のいずれか１項に記載の雑草除去耕作機具。
【請求項１１】
前記回転駆動部を手動操作のクランク型ハンドルとして、回転軸と一体型、または、駆動側の回転軸端に着脱自在に連結し形成したことを特徴とした請求項１〜８のいずれか１項に記載の雑草除去耕作機具。